(57)【要約】【課題】容器本体の開口部に剥離可能に配置されたトップシールを取り除いて開封した後の封止効果を向上させることができる嵌合容器を提供する。【解決手段】開口部１５全面にトップシール２０が剥離可能に配置された容器本体１１と、前記容器本体１１のトップシール２０が配置された開口部１５外周に嵌合する外周嵌着部３５と、前記トップシール２０が取り除かれた開口部１５内周１５ａに嵌合する内周嵌合部３８を兼ね備えた蓋体３０とからなることを特徴とする。【選択図】図３
0003189847.tif 000002
【実用新案登録請求の範囲】
【請求項１】
開口部全面にトップシールが剥離可能に配置された容器本体と、
前記容器本体のトップシールが配置された開口部外周に嵌合する外周嵌着部と、前記トップシールが取り除かれた開口部内周に嵌合する内周嵌合部を兼ね備えた蓋体とからなる
ことを特徴とする嵌合容器。
【考案の詳細な説明】
【技術分野】
【０００１】
本考案は、容器本体と、容器本体に嵌合する蓋体とを備えた嵌合容器に関する。
【背景技術】
【０００２】
例えば、惣菜や弁当等の食品、その他の加工食品等を収容する包装用容器においては、ともに合成樹脂シート製の容器本体に蓋体を重ね合わせたものが多用される（例えば、特許文献１参照。）。この種の容器では、蓋体の外周部分が容器本体の周囲よりも大きく形成され、蓋体の縁部（フランジ部、スカート部等）が容器本体の開口部に形成された縁部（フランジ部）の外側から嵌合される。また、必要に応じて、容器全体をラップフィルム等により被覆して蓋体の開放を抑制することがある。これにより、蓋体の封止効果は高まり、衝撃にも強く、取り扱いやすくなり陳列作業の利便性が高まるため、コンビニエンスストア等で販売される弁当類に多く採用されている。
【０００３】
ところで、内容物が漬物等の比較的汁気が多い食品等である場合、内容物の液漏れや臭い漏れ等を防止するために、容器本体の開口部にヒートシールや接着剤等により剥離可能なトップシールが配置されて、その上から蓋体がトップシールとともに容器本体の開口部の縁部に嵌合される。この嵌合容器では、トップシールにより容器本体が密閉状態とされるため液漏れするおそれがない。
【０００４】
しかしながら、トップシールを取り除いて一旦開封すると、容器本体に蓋体を嵌合させただけでは開口部を十分に封止することができず、内容物を使い切らずに保管する場合には、液漏れや臭い漏れ等が発生するおそれがある。このような液漏れ等は、容器全体をラップフィルム等で被覆しても外部に染み出てくることがあったり、容器の外側に内容物の汁等が付着して不衛生でラップフィルムを剥がした後に汚れの原因になったりする等の問題があり、改善が求められていた。
【先行技術文献】
【特許文献】
【０００５】
【特許文献１】特開２００５−２４７３２０号公報
【考案の概要】
【考案が解決しようとする課題】
【０００６】
本考案は、前記の点に鑑みなされたものであり、容器本体の開口部に剥離可能に配置されたトップシールを取り除いて開封した後の封止効果を向上させることができる嵌合容器を提供するものである。
【課題を解決するための手段】
【０００７】
すなわち、請求項１の考案は、開口部全面にトップシールが剥離可能に配置された容器本体と、前記容器本体のトップシールが配置された開口部外周に嵌合する外周嵌着部と、前記トップシールが取り除かれた開口部内周に嵌合する内周嵌合部を兼ね備えた蓋体とからなることを特徴とする嵌合容器に係る。
【考案の効果】
【０００８】
請求項１の考案に係る嵌合容器は、開口部全面にトップシールが剥離可能に配置された容器本体と、前記容器本体のトップシールが配置された開口部外周に嵌合する外周嵌着部と、前記トップシールが取り除かれた開口部内周に嵌合する内周嵌合部を兼ね備えた蓋体とからなるため、容器本体の開口部にトップシールが配置された状態で内容物の液漏れや臭い漏れを効果的に防止することが可能であることに加え、トップシールを取り除いて開封した後であっても極めて簡易な構成によって優れた封止効果を得ることができて内容物の液漏れや臭い漏れを効果的に防止することができる。
【図面の簡単な説明】
【０００９】
【図１】本考案の一実施例に係る嵌合容器の蓋体が分離した状態の側面図である。
【図２】図１の嵌合容器の分解断面図である。
【図３】図１の嵌合容器の蓋体を容器本体外周に嵌合させた状態の断面図である。
【図４】図１の嵌合容器の蓋体を容器本体内周に嵌合させた状態の断面図である。
【考案を実施するための形態】
【００１０】
図１，２に示す本考案の一実施例に係る嵌合容器１０は、主にコンビニエンスストアやスーパーマーケット、デパート等の小売店にて販売される惣菜、菓子、デザート類、その他加工食品等の食品包装、さらには玩具、小物等を包装対象とし、特に漬物等の比較的汁気が多い内容物の包装に適した容器であり、容器本体１１と、蓋体３０とからなる。
【００１１】
容器本体１１は、合成樹脂を主体とするシート状物の成形体からなり、図１〜図４に示すように、底部１２から開口部１５へ向かって壁部１３が立設された箱状体であり、開口部１５の内周面１５ａ近傍の壁部１３上部の内側全周に亘って段部１６が形成されているとともに、開口部１５の外周に外側へ折り返された縁部１７が形成されている。この容器本体１１において、底部１２や開口部１５の形状としては、円形状や多角形状等、用途に応じて適宜とされ、実施例では略四角形状である。また、実施例では、壁部１３が開口部１５へ向かって逆テーパ状に形成されている。
【００１２】
容器本体１１では、開口部１５の全面に、トップシール２０が剥離可能に配置される。トップシール２０は、熱可塑性樹脂シートやアルミニウムシート等の単体または複数の積層シート、紙製シート等からなり、容器本体１１の開口部１５の形状と略同形状に形成されるとともに、外周部の一部に外側へ突出した舌片状のつまみ部２１が形成される。このトップシール２０は、その材質に応じて、ヒートシールや接着剤等により、容器本体１１の開口部１５の縁部１７全周に接着されるため、容器本体１１を密閉状態とすることが可能であり、液漏れや臭い漏れ等を防止することができる。また、トップシール２０を容器本体１１から取り除く際には、つまみ部２１を持って引き上げることにより、開口部１５の縁部１７から容易に剥離させることができる。
【００１３】
蓋体３０は、合成樹脂を主体とするシート状物の成形体からなり、図１〜図４に示すように、容器本体１１の開口部１５にトップシール２０が取り付けられた密閉状態と、トップシール２０が剥離されて取り除かれた開封状態との双方の状態で封止可能に嵌合されるものであって、外周嵌着部３５と、内周嵌合部３８とを兼ね備える。なお、各図において、符号３１はトップシール２０を含む容器本体１１の開口部１５全面を被覆可能な蓋体３０の天面部である。
【００１４】
外周嵌着部３５は、容器本体１１のトップシール２０が配置された開口部１５の外周に嵌着する部位である。この外周嵌着部３５は、容器本体１１の開口部１５の縁部１７外周に近接または接触可能なように蓋体３０の天面部３１外周から全周に亘って垂下された垂下壁部３６と、垂下壁部３６の内周側下部に突設されて開口部１５の縁部１７外周との嵌着時に縁部１７下部に係着可能な係着突部３７とからなる。なお、係着突部３７は、垂下壁部３６の内周側の全周または一部に形成され、一部に形成される場合は複数個所に形成される。
【００１５】
内周嵌合部３８は、トップシール２０が取り除かれた開口部１５の内周１５ａに嵌合する部位である。この内周嵌合部３８は、蓋体３０の天面部３１の一部が下方へくぼんで形成されている。なお、図中の符号３８ａは開口部１５の内周面１５ａに内接可能な内周嵌合部３８の外周面、３８ｂは開口部１５近傍の段部１６に載置可能な内周嵌合部３８の底面３８である。
【００１６】
この実施例の容器本体１１及び蓋体３０は、ポリエチレン、ポリプロピレン、ポリスチレン、ポリエチレンテレフタレート等の熱可塑性樹脂のシート（合成樹脂シート）、さらにはポリ乳酸等の生分解性樹脂の熱可塑性樹脂のシートから形成される。前記の合成樹脂シートは真空成形等の公知の成形方法により図示をはじめとする各種形状に成形される。合成樹脂シートの厚さは適宜ではあるものの、概ね１ｍｍ以下の厚さである。容器本体１１と蓋体３０の組み合わせにおいて、合成樹脂シートの原料樹脂を同一種類としても異なる種類としてもよい。樹脂の種類は用途、内容物、包装対象等により適宜選択される。なお、容器本体１１または蓋体３０のいずれかもしくは両方を紙やその他の可撓性素材から製造することもできる。
【００１７】
ここで、容器本体１１の開口部１５にトップシール２０が取り付けられた密閉状態と、トップシール２０が剥離されて取り除かれた開封状態とにおける容器本体１１への蓋体３０の取り付けについて説明する。まず、密閉状態では、図３に示すように、蓋体３０の外周嵌着部３５を容器本体１１の開口部１５の縁部１７の外側から被覆させ、外周嵌着部３５の垂下壁部３６を開口部１５の縁部１７外周に近接または接触させ、かつ、係着突部３７を開口部１５の縁部１７下部に係着させることにより、開口部１５の縁部１７に外周嵌着部３５が嵌着される。また、この実施例では、図示のように、外周嵌着部３５の嵌着時に内周嵌合部３８の底面３８がトップシール２０上に載置される。そのため、外周嵌着部３５の係着突部３７と内周嵌合部３８の底面３８とでトップシール２０とともに開口部１５の縁部１７を把持した状態となり、トップシール２０が不用意に剥離されることがなく、蓋体３０がより強固に固定される。
【００１８】
一方、開封状態では、容器本体１１から蓋体３０を取り外してトップシール２０を開口部１５から剥離させて取り除いた後、図４に示すように、蓋体３０の外周嵌着部３５を容器本体１１の開口部１５の縁部１７の外側から被覆させ、内周嵌合部３８を容器本体１１の開口部１５へ挿入させる。その際、内周嵌合部３８の外周面３８ａが開口部１５の内周面１５ａに内接され、かつ、内周嵌合部３８の底面３８が段部１６に載置された状態となるため、内周嵌合部３８が開口部１５の内周１５ａに強固に嵌合され、開封状態での優れた封止効果を得ることができる。またさらに、実施例では、図示のように、内周嵌合部３８の嵌合時に蓋体３０の天面部３１が容器本体１１の開口部１５の縁部１７に密接されるため、封止効果をより向上させることができる。
【００１９】
以上図示し説明したように、本考案の嵌合容器１０では、容器本体１１の開口部１５全面にトップシール２０が剥離可能に配置されたことにより、密封状態となって内容物の液漏れや臭い漏れを効果的に防止することができる。また、蓋体３０が、容器本体１１のトップシール２０が配置された開口部１５外周に嵌合する外周嵌着部３５と、トップシール２０が取り除かれた開口部１５内周１５ａに嵌合する内周嵌合部３８を兼ね備えたため、密封状態ではトップシール２０が不用意に剥離されることを防止することができるとともに外周嵌着部３５により容器本体１１に蓋体３０を強固に固定することができる一方、トップシール２０の剥離後の開封状態では内周嵌合部３８により蓋体３０が容器本体１１に強固に嵌合されて優れた封止効果を得ることができる。従って、密封状態での内容物の液漏れや臭い漏れの防止に加え、開封状態においても極めて簡易な構成によって内容物の液漏れや臭い漏れを効果的に防止することができる。
【００２０】
なお、本考案の嵌合容器は、前述の実施例のみに限定されるものではなく、考案の趣旨を逸脱しない範囲において構成の一部を適宜に変更して実施することができる。
【符号の説明】
【００２１】
１０    嵌合容器
１１    容器本体
１５    開口部
１５ａ  開口部内周面
１６    段部
１７    縁部
２０    トップシール
３０    蓋体
３１    天面部
３５    外周嵌着部
３６    垂下壁部
３７    係着突部
３８    内周嵌合部
３８ａ  内周嵌合部外周面
３８ｂ  内周嵌合部底面
【図１】
0003189847.tif 000003
【図２】
0003189847.tif 000004
【図３】
0003189847.tif 000005
【図４】
0003189847.tif 000006